(57)【特許請求の範囲】
【請求項１】
互いに重ね合わせて接続される、２枚の弾性を有する板状部材のうち、一方が、平面部から略法線方向に起立するように折り曲げられ、先端が根元より大きいＴ字形の鉤部を備え、他方が、前記鉤部の先端が通過可能な貫通孔である挿通部と、この挿通部に隣接して設けられ、鉤部の根元が嵌合する係止部とを備えるとともに、
前記挿通部及び前記係止部を備える前記板状部材が包装体に対して外側に向かって突出するように延びる切片からなり、前記切片が延びる方向が前記鉤部が延びる方向と略平行をなし、
２枚の板状部材を重ね合わせたとき、鉤部の根元と係止部とが対応する箇所に位置し、鉤部は、係止部側から挿通部側に向かう形で折り曲げて起立せしめられていることを特徴とする包装体。
【請求項２】
互いに重ね合わせて接続される、２枚の弾性を有する板状部材のうち、一方が、平面部から略法線方向に起立するように折り曲げられ、先端が根元より大きいＴ字形の鉤部を備え、他方が、前記鉤部の先端が通過可能な貫通孔である挿通部と、この挿通部に隣接して設けられ、鉤部の根元が嵌合する係止部とを備えるとともに、２枚の板状部材を重ね合わせたとき、鉤部の根元と係止部とが対応する箇所に位置し、鉤部は、係止部側から挿通部側に向かう形で折り曲げて起立せしめられており、
少なくとも一面を開口状態にした箱形状或いは筒形状をなし、前記鉤部が設けられたベースと、前記開口の少なくとも一部を閉鎖可能であるとともに、閉鎖状態で鉤部と係合する前記挿通部及び前記係止部が設けられた切片と、開口を通して部材の収納／取り出しが可能な部材収容空間とを備えることを特徴とする包装体。
【請求項３】
上方及び下方に構造物を有する形で本体に内蔵され、少なくとも本体前面側に開放部を有する用紙排出空間を設けた画像形成装置の、この用紙排出空間内に配置されるものであって、用紙排出空間に対して着脱可能であることを特徴とする請求項２に記載の包装体。
【発明の詳細な説明】
【技術分野】
【０００１】
本発明は、被包装物である物品を包装するための包装体に関する。
【背景技術】
【０００２】
画像形成装置や家庭用電化製品、そしてそれらを構成する機能部材や電子部品等の物品は、通常段ボールなどで構成される包装体によって包装され、出荷されている。包装体は、被包装物である物品を段ボール製の箱にすっぽりと収容する形のものが多い。搬送時の衝撃から被包装物を保護するために、緩衝包装材を介して包装体に被包装物を収容する場合も多い。
【０００３】
電子機器や電化製品などの被包装物を包装する場合、箱やトレイ、緩衝包装材を上記のように段ボールで形成することがある。段ボールは、所望の大きさ、形状に切断した後、所定の箇所を折り曲げることにより、被包装物を包装するのに最適な形態に形作られる。このとき、折り曲げた箇所が、段ボールの弾性の作用によって折り曲げる前の形態に戻らないように固定するため、様々な方法が提案されている。そのような折り曲げ箇所の固定方法の一例を、特許文献１に見ることができる。
【０００４】
特許文献１に見られるシート状部材の接合部構造は、２枚のシート状部材（板状部材、例えば段ボール）を重ね合わせて固定するにあたって、各々のシート状部材に切り起こし片を形成し、これら２個の切り起こし片を重ねて折り曲げることにより、一方の切り起こし片を他方の切り起こし片の溝に押し込み、２枚のシート状部材間の相対的な変位を阻止している。その結果、段ボールといったシート状部材の弾性により、折り曲げ箇所が、折り曲げる前の形態に戻ろうとするのを防止し、固定することができる。
【特許文献１】特開２００２−２５５１５０号公報（第５頁、図２）
【発明の開示】
【発明が解決しようとする課題】
【０００５】
特許文献１に記載されたシート状部材の接合部構造は、２枚のシート状部材の各々に形成した切り起こし片を重ねて折り曲げることにより、簡便な方法で折り曲げ箇所の固定を実現することができる。しかしながら、この方法では、一方の切り起こし片を他方の切り起こし片の溝に押し込む際の、その嵌合が緩いと、切り起こし片自体が、段ボールの弾性により折り曲げる前の形態に戻ってしまう恐れがある。これにより、２個の切り起こし片の箇所の係合が解除され、箱やトレイ、緩衝包装材を形作るための折り曲げ箇所が固定できなくなる可能性が高い。
【０００６】
このような理由から、２個の切り起こし片の形状や寸法は、正確に設計しなければならないので、一層手間やコストが掛かる。また、上記のような２個の切り起こし片を利用した固定方法では、切り起こし片をしっかりと嵌合させるために、段ボールの強度にも注意を払う必要がある。段ボールの強度が不十分であると、切り起こし片の嵌合部分が簡単につぶれてしまい、嵌合が緩いといった問題が発生し易くなる。
【０００７】
本発明は上記の点に鑑みなされたものであり、好適な形態の包装体を形作るにあたり、２枚の板状部材を接続する箇所において、構成が簡便であるとともに、板状部材の弾性で簡単に接続が解除されるようなことがなく、強固な接続状態を維持し続けることが可能な包装体を提供することを目的とする。
【課題を解決するための手段】
【０００８】
上記の課題を解決するため、本発明は、包装体において、互いに重ね合わせて接続される、２枚の弾性を有する板状部材のうち、一方が、平面部から略法線方向に起立するように折り曲げられ、先端が根元より大きいＴ字形の鉤部を備え、他方が、前記鉤部の先端が通過可能な貫通孔である挿通部と、この挿通部に隣接して設けられ、鉤部の根元が嵌合する係止部とを備えるとともに、２枚の板状部材を重ね合わせたとき、鉤部の根元と係止部とが対応する箇所に位置し、鉤部は、係止部側から挿通部側に向かう形で折り曲げて起立せしめられていることとした。
【０００９】
また、上記構成の包装体において、少なくとも一面を開口状態にした箱形状或いは筒形状をなし、前記鉤部が設けられたベースと、前記開口の少なくとも一部を閉鎖可能であるとともに、閉鎖状態で鉤部と係合する前記挿通部及び前記係止部が設けられた切片と、開口を通して部材の収納／取り出しが可能な部材収容空間とを備えることとした。
【００１０】
また、上記構成の包装体において、上方及び下方に構造物を有する形で本体に内蔵され、少なくとも本体前面側に開放部を有する用紙排出空間を設けた画像形成装置の、この用紙排出空間内に配置されるものであって、用紙排出空間に対して着脱可能であることとした。
【発明の効果】
【００１１】
本発明の構成によれば、包装体において、互いに重ね合わせて接続される、２枚の弾性を有する板状部材のうち、一方が、平面部から略法線方向に起立するように折り曲げられ、先端が根元より大きいＴ字形の鉤部を備え、他方が、前記鉤部の先端が通過可能な貫通孔である挿通部と、この挿通部に隣接して設けられ、鉤部の根元が嵌合する係止部とを備えるとともに、２枚の板状部材を重ね合わせたとき、鉤部の根元と係止部とが対応する箇所に位置し、鉤部は、係止部側から挿通部側に向かう形で折り曲げて起立せしめられていることとしたので、板状部材の弾性の作用により、係止部の箇所から挿通部とは反対の方向に、折り曲げる前の形態に戻ろうとする。したがって、２枚の板状部材を重ね合わせ、鉤部を挿通部に差し込むだけで、鉤部を係止部に嵌合させることができ、さらに板状部材の弾性作用を利用して２枚の板状部材の接続を強固にすることが可能である。このようにして、好適な形態の包装体を形作るにあたり、２枚の板状部材を接続する箇所において、構成が簡便であるとともに、板状部材の弾性で簡単に接続が解除されるようなことがなく、強固な接続状態を維持し続けることが可能な包装体を得ることができる。
【００１２】
また、包装体は、少なくとも一面を開口状態にした箱形状或いは筒形状をなし、前記鉤部が設けられたベースと、前記開口の少なくとも一部を閉鎖可能であるとともに、閉鎖状態で鉤部と係合する前記挿通部及び前記係止部が設けられた切片と、開口を通して部材の収納／取り出しが可能な部材収容空間とを備えることとしたので、内部に部材を収納することができ、且つ搬送時などにおいて、その部材が意図せず部材収容空間から脱落しないようにすることが可能である。このようにして、内部に部材を収納することが可能な包装体を形作るにあたり、２枚の板状部材を接続してその開口を閉鎖する箇所において、構成が簡便であるとともに、板状部材の弾性で簡単に接続が解除されて開放状態になることがなく、強固な接続状態を維持し続けることが可能な包装体を得ることができる。
【００１３】
また、包装体は、上方及び下方に構造物を有する形で本体に内蔵され、少なくとも本体前面側に開放部を有する用紙排出空間を設けた画像形成装置の、この用紙排出空間内に配置されるものであって、用紙排出空間に対して着脱可能であることとしたので、所謂胴内排出型の画像形成装置の場合に、その用紙排出空間を利用して、包装体に収納した部材を搬送時の衝撃から保護しながら同梱することができ、且つ包装体を画像形成装置から取り出す際、部材が意図せず包装体から脱落しないようにすることが可能である。このようにして、胴内排出型の画像形成装置の用紙排出空間内に配置可能であり、且つ内部に部材を収納することが可能な包装体を形作るにあたり、２枚の板状部材を接続してその開口を閉鎖する箇所において、構成が簡便であるとともに、板状部材の弾性で簡単に接続が解除されるようなことがなく、強固な接続状態を維持し続けることが可能な包装体を得ることができる。
【発明を実施するための最良の形態】
【００１４】
以下、本発明の実施形態を図１〜図９に基づき説明する。
【００１５】
最初に、本発明の実施形態に係る包装体に関して、包装体を利用する電子機器である画像形成装置について、図１及び図２を用いてその構造の概略を説明しつつ、画像出力動作を説明する。図１は画像形成装置の模型的垂直断面正面図、図２は画像形成装置の外観斜視図である。なお、図１において、実線矢印は用紙の搬送経路及び搬送方向を、一点鎖線矢印はレーザ光Ｌを示す。
【００１６】
図１に示すように、画像形成装置１の本体２の内部下方には、給紙部である給紙カセット３が配置されている。給紙カセット３は、その内部に、印刷前のカットペーパー等の用紙Ｐを積載して収容している。そして、この用紙Ｐは、図１において給紙カセット３の左上方に向けて、１枚ずつ分離されて送り出される。給紙カセット３は、本体２の正面側から水平に引き出すことが可能である。
【００１７】
本体２の内部であって、給紙カセット３の左方には、第１用紙搬送部４が備えられている。第１用紙搬送部４は、本体２の左側面に沿って略垂直に形設されている。そして、第１用紙搬送部４は、給紙カセット３から送り出された用紙Ｐを受け取り、本体２の左側面に沿って垂直上方に転写部１３まで搬送する。
【００１８】
給紙カセット３の上方であって、第１用紙搬送部４が形設された本体２の左側面とは反対側の側面である右側面の箇所には、手差し給紙部５が備えられている。手差し給紙部５は、図１及び図２に示すように、前後方向に略水平に延びる軸線を中心として、垂直面内で回転可能な手差し給紙トレイ５ａを備えている。
【００１９】
手差し給紙トレイ５ａは、図１において下端に設けられた軸線を中心として、上端を本体２外側に展開することにより、その上面に用紙Ｐなどを載置することが可能な形態になる。手差し給紙トレイ５ａには、給紙カセット３に入っていないサイズの用紙Ｐや、厚紙、ＯＨＰシートのように１枚ずつ送り込みたいものが載置される。手差し給紙トレイ５ａは、使用しないとき、図１に示すように閉鎖状態にされる。
【００２０】
手差し給紙部５の左方には、第２用紙搬送部６が備えられている。第２用紙搬送部６は、給紙カセット３のすぐ上方にあって、手差し給紙部５から第１用紙搬送部４まで略水平に延び、第１用紙搬送部４に合流している。そして、第２用紙搬送部６は、手差し給紙部５から送り出された用紙Ｐ等を受け取り、略水平に第１用紙搬送部４まで搬送する。
【００２１】
一方、図１及び図２に示すように、画像形成装置１の本体２の上部には画像読み取り部７が、さらにその上方には原稿押さえ８が備えられている。ユーザーが原稿の複写を行う場合には、原稿押さえ８を上方に持ち上げることによって現れる画像読み取り部７上面に備えられたプラテンガラス（図示せず）上に文字や図形、模様等の画像が描かれた原稿を１枚ずつ載置する。そして、原稿を原稿押さえ８でプラテンガラス表面に押さえ付け、画像読み取り部７によって原稿に描かれた画像が読み取られる。
【００２２】
原稿画像の読み取り、すなわち印刷の開始は、本体２の上部であって、画像読み取り部７の正面側に備えられた操作パネル９（図２参照）を用いて実行される。ユーザーは、この操作パネル９から、使用する用紙サイズや拡大縮小、両面印刷の有無といった印刷条件などを入力して設定することが可能である。
【００２３】
なお、操作パネル９は、その背面側、すなわち画像読み取り部７が設けられた箇所との連結に、図２に示すヒンジ機構９ａが用いられている。したがって、操作パネル９は、左右方向に略水平に延びる軸線を中心として、その正面側先端を上下に揺動させるように、垂直面内で回転可能である。すなわち、操作パネル９の表面を、適宜傾斜させることができる。このように、身長が比較的低いユーザー、或いは車椅子を使用しているユーザーも、労せず操作パネル９を使用することができるユニバーサルデザインが適用されている。
【００２４】
原稿の画像データの情報は、第２用紙搬送部６の上方であって、本体２の中央部に配置された露光装置１０（図１参照）に送られる。露光装置１０により、画像データに基づいて制御されたレーザ光Ｌが、画像形成部１１に向かって照射される。
【００２５】
第１用紙搬送部４の上方であって、露光装置１０の左方には、画像形成部１１及び転写部１３が備えられている。画像形成部１１では、露光装置１０によって照射されたレーザ光Ｌにより原稿画像の静電潜像が形成され、この静電潜像からトナー像が現像される。トナーは、露光装置１０の上方に備えられたトナーコンテナ１２から画像形成部１１に補給される。画像形成部１１で形成されたトナー像は、第１用紙搬送部４によって同期をとって送られてきた印刷前の用紙Ｐに、転写部１３にて転写される。
【００２６】
転写部１３の上方には、定着装置１４が備えられている。転写部１３にて未定着トナー像を担持した用紙Ｐは、定着装置１４へと送られ、熱ローラと加圧ローラとによりトナー像が加熱、加圧されて定着される。
【００２７】
定着装置１４の上方には、分岐部１５が備えられている。定着装置１４から排出された用紙Ｐは、両面印刷を行わない場合、分岐部１５から画像形成装置１の胴内に設けられた用紙排出空間である胴内用紙排出部１６（図２参照）に排出される。
【００２８】
分岐部１５から胴内用紙排出部１６に向かって用紙Ｐが排出されるその排出口部分は、スイッチバック部１７としての機能を果たす。両面印刷を行う場合には、このスイッチバック部１７において、定着装置１４から排出された用紙Ｐの搬送方向が切り替えられる。そして、用紙Ｐは、分岐部１５、定着装置１４の左方、及び転写部１３の左方を通って下方に送られ、再度第１用紙搬送部４を経て転写部１３へと送られる。
【００２９】
続いて、上記構成の画像形成装置１の用紙排出空間である胴内用紙排出部１６内に配置される、本発明の包装体について、図１及び図２に加えて、図３〜図５を用いてその詳細な構成を説明する。図３は包装体が配置された画像形成装置の外観斜視図、図４は包装体の背面側部分を示す部分拡大斜視図、図５は包装体の展開図である。なお、図４は、開閉部におけるベース（包装体基体）と切片との接続を解除して、開放した状態を描画している。
【００３０】
包装体の説明に先立って、画像形成装置１の用紙排出空間である胴内用紙排出部１６の詳細な構成について説明する。
【００３１】
胴内用紙排出部１６は、図１に示すように、画像形成装置１の本体２において、露光装置１０やトナーコンテナ１２が配置された箇所の上方であって、画像読み取り部７の下方に配置されている。すなわち、胴内用紙排出部１６は、上方及び下方に構造物を有する形で本体２に内蔵されているので、本体２側面から外側に突出する形で用紙排出トレイなどを設ける必要がなく、画像形成装置１のコンパクト化に貢献している。
【００３２】
そして、胴内用紙排出部１６は、図２に示すように、本体２前面側に前面開放部１６ａが、右側面に側面開放部１６ｂが設けられた用紙排出空間となっている。印刷が完了した用紙Ｐは、本体２の前面側、或いは右側面側から胴内用紙排出部１６に手を入れ、取り出すことができる。
【００３３】
包装体２０は、図３に示すように、このような用紙排出空間である胴内用紙排出部１６に配置される。包装体２０は、胴内用紙排出部１６に対してその前方から収納、取り出しが可能であり、その着脱を容易に行うことができる。
【００３４】
包装体２０は、その外形が、略直方体の筒形状をなし、胴内用紙排出部１６の内部にぴったりと収まるように形成されている。包装体２０を胴内用紙排出部１６内に配置したとき、包装体２０の上面は胴内用紙排出部１６内の上面に、包装体２０の底面は胴内用紙排出部１６内の底面に当接するようになっている。これにより、包装体２０は、搬送時などの衝撃で、画像読み取り部７の右前面側の箇所が下がるのを抑制している。また、包装体２０は、先端側を上下に揺動可能な操作パネル９が下がるのも抑制している。
【００３５】
包装体２０は、その内部に、部材収容空間２１を備えている。この部材収容空間２１には、被包装物として、トナーコンテナ（図示せず）などといった画像形成装置１の関連部材を収容することができる。部材収容空間２１の前面側には、前面開口部２２が備えられている。トナーコンテナなどの部材収容空間２１への収容物は、前面開口部２２を通して前面側から収納／取り出しが可能である。
【００３６】
部材収容空間２１の前面開口部２２には、前面開口部２２を正面から見た左下方の角部分に、ロック部２３が備えられている。ロック部２３は、対応する包装体２０の底面部及び左側面部の箇所を、内側に凸となるように折り曲げることにより、前面開口部２２の一部を閉鎖することができる。これにより、部材収容空間２１の収容物は、ロック部２３に引っ掛かり、前方に脱落することがない。
【００３７】
なお、ロック部２３は、包装体２０全体の左下角部分に沿うように折り曲げることにより、前面開口部２２が完全な開放状態になる。これにより、部材収容空間２１の収容物を、スムーズに出し入れすることができる。
【００３８】
一方、包装体２０は、図４に示すように、部材収容空間２１の背面側に、背面開口部２４、及び開閉部３０を備えている。背面開口部２４は、図３に示した上記前面開口部２２の反対側に設けられている。そして、前面開口部２２と同様に、部材収容空間２１への収容物は、背面開口部２４を通して背面側から収納／取り出しが可能である。開閉部３０は、包装体２０の基体をなすベース３１と、切片３２とで構成されている。
【００３９】
ベース３１は、部材収容空間２１を構成するひとつの壁部であって、その外側に鉤部３３を備えている。鉤部３３は、ベース３１の平面部３１ａから略法線方向外側に起立するように、切り起こし加工により折り曲げて形成されている。鉤部３３は、背面開口部２４が向く方向、すなわち包装体２０の前後方向（図中矢印Ｘ）に沿って延びている。また、鉤部３３は、先端３３ａが根元３３ｂより大きいＴ字形形状をなし、ベース３１から突出している。
【００４０】
切片３２は、包装体２０に対して、背面開口部２４が向く方向に、外側に突出するように延びている（図中矢印Ｘ）。そして、切片３２をベース３１側に折り曲げると、切片３２とベース３１とを重ね合わせて接続して、背面開口部２４の一部を閉鎖することが可能である（図８参照）。また、切片３２の先端側には、挿通部３４と、係止部３５とが設けられている。
【００４１】
挿通部３４は、略矩形をなす貫通孔であり、鉤部３３が延びる方向と同様に、背面開口部２４が向く方向、すなわち包装体２０の前後方向（図中矢印Ｘ）に沿って延びている。そして、挿通部３４は、鉤部３３の先端３３ａが通過可能な大きさをなしている（図７参照）。
【００４２】
係止部３５は、挿通部３４に隣接して設けられた、略矩形をなす貫通孔である。係止部３５は、鉤部３３に対する、鉤部３３を切り起こしてできた穴の方向（図中矢印Ｙ）に、挿通部３４に対して隣接している。係止部３５の前後方向（図中矢印Ｘ）の長さは、挿通部３４のそれより短くなっており、鉤部３３の根元３３ｂを受け入れ可能な長さになっている（図８参照）。鉤部３３の先端３３ａを通すことはできない。
【００４３】
なお、包装体２０を展開すると、図５に示す展開図となる。包装体２０は、展開した状態において略矩形の板状をなす部材であって、段ボールで構成されている。
【００４４】
続いて、開閉部３０による、部材収容空間２１の背面開口部２４の開閉方法について、図４に加えて、図６〜図９を用いて説明する。図６は開閉部を示す部分拡大斜視図にして、ベースと切片との接続の初期段階を示すもの、図７は図６と同様の開閉部を示す部分拡大斜視図にして、切片が鉤部根元まで到達した状態を示すもの、図８は図７と同様の開閉部を示す部分拡大斜視図にして、ベースと切片との接続が完了した状態を示すもの、図９はベースと切片との接続が完了した状態の開閉部を示す上面図である。
【００４５】
図４は、開閉部３０において、ベース３１と切片３２との接続が解除され、背面開口部２４を開放した状態を描いている。この状態から、背面開口部２４を閉鎖するには、まず切片３２をベース３１側に折り曲げる。
【００４６】
そして、切片３２が、ベース３１に接近する際、図６に示すように、切片３２の挿通部３４に、ベース３１の鉤部３３の先端３３ａを差し込む。このとき、後述するように、鉤部３３と挿通部３４とが設けられた箇所は、互いに、それらや切片３２が延びる方向（図中矢印Ｘ）と直角をなす方向（図中矢印Ｙ）にずれているので、そのずれの方向に切片３２を傾斜させながら、挿通部３４に鉤部３３を差し込むことになる。
【００４７】
切片３２をベース３１に当接すると、挿通部３４への鉤部３３の差し込みが完了し、図７に示す状態となる。そして、この状態から、切片３２の係止部３５が鉤部３３の根元３３ｂに接近するように、切片３２を、図７において手前側に移動させる。
【００４８】
その結果、図８に示すように、係止部３５と、鉤部３３の根元３３ｂとが嵌合する。係止部３５の前後方向（図中矢印Ｘ）の長さは、鉤部３３の先端３３ａのそれより短いので、係止部３５と鉤部３３との係合が容易に解除されることはない。
【００４９】
そして、ベース３１と切片３２を重ね合わせて、開閉部３０による背面開口部２４の閉鎖が完了したとき、開閉部３０を上方から見ると図９のような状態になる。すなわち、鉤部３３の根元３３ｂと係止部３５とは、鉤部３３が延びる方向（図中矢印Ｘ）と直角をなす方向（図中矢印Ｙ）に関して、互いに対応する箇所に位置している。また、鉤部３３は、係止部３５側から挿通部３４側に向かう形で折り曲げて起立せしめられている。
【００５０】
上記のように、包装体２０は、互いに重ね合わせて接続される、２枚の弾性を有する板状部材であるベース３１と切片３２のうち、ベース３１が、平面部３１ａから略法線方向に起立するように折り曲げられ、先端３３ａが根元３３ｂより大きいＴ字形の鉤部３３を備え、切片３２が、鉤部３３の先端３３ａが通過可能な貫通孔である挿通部３４と、この挿通部３４に隣接して設けられ、鉤部３３の根元３３ｂが嵌合する係止部３４とを備えるとともに、ベース３１と切片３２とを重ね合わせたとき、鉤部３３の根元３３ｂと係止部３４とが対応する箇所に位置し、鉤部３３は、係止部３４側から挿通部３５側に向かう形で折り曲げて起立せしめられているので、板状部材である段ボールの弾性の作用により、係止部３５の箇所から挿通部３４とは反対の方向に、折り曲げる前の形態に戻ろうとする。したがって、ベース３１と切片３２とを重ね合わせ、鉤部３３を挿通部３４に差し込むだけで、鉤部３３を係止部３５に嵌合させることができ、さらに段ボールの弾性作用を利用してベース３１と切片３２との接続を強固にすることが可能である。このようにして、好適な形態の包装体２０を形作るにあたり、ベース３１と切片３２とを接続する箇所において、構成が簡便であるとともに、段ボールの弾性で簡単に接続が解除されるようなことがなく、強固な接続状態を維持し続けることが可能な包装体２０を得ることができる。
【００５１】
また、包装体２０は、前後を開口状態にした筒形状をなし、鉤部３３が設けられたベース３１と、背面開口部２４の一部を閉鎖可能であるとともに、閉鎖状態で鉤部３３と係合する挿通部３４及び係止部３５が設けられた切片３２と、背面開口部２４を通して部材の収納／取り出しが可能な部材収容空間２１とを備えているので、内部に部材を収納することができ、且つ搬送時などにおいて、その部材が意図せず部材収容空間２１から脱落しないようにすることが可能である。このようにして、内部に部材を収納することが可能な包装体２０を形作るにあたり、ベース３１と切片３２とを接続して背面開口部２４を閉鎖する開閉部３０において、構成が簡便であるとともに、段ボールの弾性で簡単に接続が解除されて開放状態になることがなく、強固な接続状態を維持し続けることが可能な包装体２０を得ることができる。
【００５２】
また、包装体２０は、上方及び下方に構造物を有する形で本体２に内蔵され、本体２前面側に前面開放部１６ａを有する用紙排出空間である胴内用紙排出部１６を設けた画像形成装置１の、この胴内用紙排出部１６内に配置されるものであって、胴内用紙排出部１６に対して着脱可能であるので、所謂胴内排出型の画像形成装置１の場合に、その胴内用紙排出部１６を利用して、包装体２０に収納した部材を搬送時の衝撃から保護しながら同梱することができ、且つ包装体２０を画像形成装置１から取り出す際、部材が意図せず包装体２０から脱落しないようにすることが可能である。このようにして、胴内排出型の画像形成装置１の胴内用紙排出部１６内に配置可能であり、且つ内部に部材を収納することが可能な包装体２０を形作るにあたり、ベース３１と切片３２とを接続して背面開口部２４を閉鎖する開閉部３０において、構成が簡便であるとともに、段ボールの弾性で簡単に接続が解除されるようなことがなく、強固な接続状態を維持し続けることが可能な包装体２０を得ることができる。
【００５３】
以上、本発明の実施形態につき説明したが、本発明の範囲はこれに限定されるものではなく、発明の主旨を逸脱しない範囲で種々の変更を加えて実施することができる。
【００５４】
例えば、上記実施形態では、２枚の板状部材である段ボールを、互いに重ね合わせて接続する開閉部３０を、包装体２０の、部材収容空間２１の背面側の箇所に設けることとしたが、開閉部３０の配置箇所はこれに限定されるわけではなく、前面側や他の箇所に設けることとしても構わない。
【産業上の利用可能性】
【００５５】
本発明は、被包装物である物品を包装するための包装体全般において利用可能である。
【図面の簡単な説明】
【００５６】
【図１】本発明の実施形態に係る包装体を利用する画像形成装置の模型的垂直断面正面図である。
【図２】図１に示す画像形成装置の外観斜視図である。
【図３】包装体が配置された画像形成装置の外観斜視図である。
【図４】図３に示した包装体の背面側部分を示す部分拡大斜視図である。
【図５】図３に示した包装体の展開図である。
【図６】図４の開閉部を示す部分拡大斜視図にして、ベースと切片との接続の初期段階を示すものである。
【図７】図６と同様の開閉部を示す部分拡大斜視図にして、切片が鉤部根元まで到達した状態を示すものである。
【図８】図７と同様の開閉部を示す部分拡大斜視図にして、ベースと切片との接続が完了した状態を示すものである。
【図９】図８のベースと切片との接続が完了した状態の開閉部を示す上面図である。
【符号の説明】
【００５７】
１    画像形成装置
２    本体
１６  胴内用紙排出部（用紙排出空間）
１６ａ  前面開放部（開放部）
２０  包装体
２１  部材収容空間
２４  背面開口部（開口）
３０  開閉部
３１  ベース
３１ａ  平面部
３２  切片
３３  鉤部
３３ａ  先端
３３ｂ  根元
３４  挿通部
３５  係止部
【図１】
0005205021.tif 000002
【図２】
0005205021.tif 000003
【図３】
0005205021.tif 000004
【図４】
0005205021.tif 000005
【図５】
0005205021.tif 000006
【図６】
0005205021.tif 000007
【図７】
0005205021.tif 000008
【図８】
0005205021.tif 000009
【図９】
0005205021.tif 000010